(57)【要約】【課題】簡単な構成で天井直付け照明器具の周囲を間接照明できると共に、照明器具の周囲における間接光色や配光が簡単に変更できる。【解決手段】放電灯１を備えた器具本体２の下方に透光性の下カバー３を取付けた天井直付け型照明器具４である。器具本体２の中央部が天井５に密着する密着部１３となると共に周囲が天井５と密着することなく天井５との間に隙間６を形成するようにした非密着部７となっている。上記非密着部７の放電灯１の上方位置に採光用開口部８を設ける。非密着部７上に採光用開口部８を覆う透光性上カバー９を着脱自在に配設する。【選択図】        図１
2004265708.tif 000002
【特許請求の範囲】
【請求項１】
放電灯を備えた器具本体の下方に透光性の下カバーを取付けた天井直付け型照明器具であって、器具本体の中央部が天井に密着する密着部となると共に周囲が天井と密着することなく天井との間に隙間を形成するようにした非密着部となり、上記非密着部の放電灯の上方位置に採光用開口部を設け、非密着部上に採光用開口部を覆う透光性上カバーを着脱自在に配設して成ることを特徴とする天井直付け型照明器具。
【請求項２】
透光性上カバーを器具本体にねじ具により取付け、器具本体に下カバーを支持するための下カバー受けをねじ具により取付け、上記透光性カバーを器具本体に取付けるねじ具と、器具本体に下カバー受けを取付けるねじ具とが共通のねじ具で兼用していることを特徴とする請求項１記載の天井直付け型照明器具。
【請求項３】
器具本体への下カバー、透光性上カバーの取付け部分が外部との隙間が１ｍｍ以下の密閉構造であることを特徴とする請求項１又は請求項２記載の天井直付け型照明器具。
【請求項４】
天井に下面に引掛けシーリングローゼットのコンセントを備え且つ外周部に係止突部を備えた配線部品を設け、器具本体の中央部の密着部に上下に開口する取付け用開口部を設けると共に該取付け用開口部の内面に取付け用開口部内に突出する方向のばね力が付与された出没自在な係止部材を設け、取付け用開口部を配線部品に嵌め込むと共に係止部材を係止突部に係止して器具本体を配線部品に取付け、配線部品に設けたコンセントに器具本体に備えた引掛けシーリングローゼットのプラグを着脱自在に接続して成ることを特徴とする請求項１乃至請求項３のいずれかに記載の天井直付け型照明器具。
【請求項５】
放電灯が環状をしており、この環状の放電灯の内側に点灯回路、点灯回路を制御するための制御部を配置して成ることを特徴とする請求項１乃至請求項４のいずれかに記載の天井直付け型照明器具。
【請求項６】
点灯回路の下部に制御部を配置した一体構造とし、制御部に常夜灯を構成するＬＥＤを付設して成ることを特徴とする請求項５記載の天井直付け型照明器具。
【請求項７】
放電灯が環状をしており、器具本体に環状をした放電灯を支持するための放電灯支持ばねとランプソケットとを器具本体の直径方向に位置変更自在に取付けて成ることを特徴とする請求項１乃至請求項６のいずれかに記載の天井直付け型照明器具。
【請求項８】
器具本体の中央部の密着部の外周形状を平面視円形状とし、器具本体の密着部の周囲の非密着部を外周側が下となるよう段状に形成し、段状をした非密着部の内周側である上段部の外周形状を平面視略小判形状とし、段状をした非密着部の外周側である下段部の外周形状を平面視円形状とし、外周形状が平面視略小判形状をした上段部の非密着部に点灯回路、制御部を取付け、非密着部の下段部に採光用開口部を設け、該採光用開口部を透光性上カバーで覆って成ることを特徴とする請求項１乃至請求項７のいずれかに記載の天井直付け型照明器具。
【請求項９】
透光性上カバーにプリズム加工が施されていることを特徴とする請求項１乃至請求項８記載の天井直付け型照明器具。
【請求項１０】
平面視において器具本体の中央部の密着部が器具本体の面積の５０％以下で、照明器具サイズが平面視でφ３５０〜９００ｍｍ、又は平面視で３５０×３５０ｍｍ〜９００×３５０ｍｍ、又は平面視で（１００〜４００ｍｍ）×（５００〜１８００ｍｍ）で、非密着部と天井との隙間寸法が３０〜７０ｍｍであることを特徴とする請求項１乃至請求項９記載の天井直付け型照明器具。
【発明の詳細な説明】
【０００１】
【発明の属する技術分野】
本発明は、天井直付け型照明器具に関するものである。
【０００２】
【従来の技術】
従来から天井に直付けする照明器具は、器具本体の下側にグローブと称される透光性の下カバーを取付けたもので、器具本体の中央部を天井に密着して取付けている。（例えば特許文献１参照）
ところが上記の従来例にあっては、器具本体の下面側の透光性の下カバーを光が透過して照明器具の下方を照明するだけであった。つまり、器具本体の中央部以外は天井との間に隙間があり、この器具本体と天井との間の隙間が暗い影となっていた。
【０００３】
また、他の従来例としては図１９、図２０に示すような天井直付け型照明器具も知られている（非特許文献１参照）。この図１９、図２０に示す従来例は、取付け金具５０、内側本体５１、上透光カバー５２を一体に固定した外側本体５３の３部材により器具本体５４を構成し、天井５’に取付けた配線部品１２を囲むように取付け金具５０を天井５’に取付け、取付け金具５０に内側本体５１をねじ５５により取付け、次に、内側本体５１に上透光カバー５２を固定した外側本体５３をねじ５６により取付け、上記のようにして天井５’に取付けた器具本体５４に透光性の下カバー５７を取付けるようになっている。
【０００４】
この図１９、図２０に示す従来例は器具本体５４の外周部の天井５’と密着していない非密着部５８に上透光カバー５２を器具本体５４に備えた放電灯１’の光が透過して上透光カバー５２と天井５’との間の隙間５９を照らして天井直付け型照明器具の周囲を間接照明するようになっている。
【０００５】
ところが、この従来例にあっては、器具本体５４の天井５’への取付けに当たって上記のようにねじ５５、５６による数度の取付け作業が必要であり、取付けが面倒であるだけでなく、いったん天井５’に取付けた後にはねじ５５、５６による取付けであるため、天井５から容易には素人では取り外すことができないのみならず上透光カバー５２は外側本体５３に固着してあって取り外して交換することができず、いったん天井直付け型照明器具を天井５’に取付けた後は、上透光カバー５２による間接光色や配光が固定されてしまいって居住者自身で上透明カバーによる間接光色や配光を変えることが出来ないという問題があった。また、図１９、図２０に示す従来のものにおいては、下カバー５７と器具本体５４との取付け部分において両者の間に隙間５９がある非密閉構造のものであるため、虫が侵入し、掃除やメンテナンスを頻繁に行わなければならないという問題があった。
【０００６】
【特許文献１】
特開平８−３１２１４号公報
【非特許文献１】
松下電工株式会社照明分社住宅照明事業部発行のカタログ「ＬＩＧＨＴＩＮＧＭＯＤＥ」Ｅｘｐｅｒｔ、２００２，２００３年版のＢ６２−Ｂ６５
【０００７】
【発明が解決しようとする課題】
本発明は上記の点に鑑みてなされたものであり、簡単な構成で天井直付け照明器具の周囲を間接照明できると共に、照明器具の周囲における間接光色や配光が簡単に変更でき、また、防虫構造にできて省メンテナンスが実現でき、また、薄型化が図れ、更に環状をした放電灯の径の異なるものに対応できる天井直付け型照明器具を提供することを課題とするものである。
【０００８】
【課題を解決するための手段】
上記課題を解決するために本発明に係る天井直付け型照明器具は、放電灯１を備えた器具本体２の下方に透光性の下カバー３を取付けた天井直付け型照明器具４であって、器具本体２の中央部が天井５に密着する密着部１３となると共に周囲が天井５と密着することなく天井５との間に隙間６を形成するようにした非密着部７となり、上記非密着部７の放電灯１の上方位置に採光用開口部８を設け、非密着部７上に採光用開口部８を覆う透光性上カバー９を着脱自在に配設して成ることを特徴とするものである。
【０００９】
このような構成とすることで、放電灯１の光が透光性の下カバー３を透過して下方を直接照明するのに加え、天井直付け型照明器具４において器具本体２の非密着部７と天井５との間の隙間６に放電灯１からの光が透光性上カバー９を透過して隙間６が光ると共に天井直付け型照明器具４の周囲の天井下面付近を照らして下から見ると上記隙間６が光って天井直付け型照明器具４が浮いているように見える間接照明がなされるものであり、しかも、上記透光性上カバー９が着脱自在であるため、透光性上カバー９を交換して間接光色や間接光の配光を簡単に変更することができるものである。
【００１０】
また、透光性上カバー９を器具本体２にねじ具１０により取付け、器具本体２に下カバー３を支持するための下カバー受け１１をねじ具１０により取付け、上記透光性カバーを器具本体２に取付けるねじ具１０と、器具本体２に下カバー受け１１を取付けるねじ具１０とが共通のねじ具１０で兼用していることが好ましい。
【００１１】
このような構成とすることで、器具本体２に透光性上カバー９を着脱自在に取付けるためのねじ具１０を器具本体２に下カバー受け１１を取付けるためのねじ具１０と兼用できて、部材点数を少なくすることができる。
【００１２】
また、器具本体２への下カバー３、透光性上カバー９の取付け部分が外部との隙間６が１ｍｍ以下の密閉構造であることが好ましい。
【００１３】
このような構成とすることで、内部に虫が侵入しない防虫構造にできるものである。
【００１４】
また、天井５に下面に引掛けシーリングローゼットのコンセント２５を備え且つ外周部に係止突部１４を備えた配線部品１２を設け、器具本体２の中央部の密着部１３に上下に開口する取付け用開口部２３を設けると共に該取付け用開口部２３の内面に採光用開口部８内に突出する方向のばね力が付与された出没自在な係止部材１５を設け、取付け用開口部２３を配線部品１２に嵌め込むと共に係止部材１５を係止突部１４に係止して器具本体２を配線部品１２に取付け、配線部品１２に設けたコンセント２５に器具本体２に備えた引掛けシーリングローゼットのプラグ２２を着脱自在に接続することが好ましい。
【００１５】
このような構成とすることで、器具本体２をねじ具などを用いることなく、係止により簡単に取付けることができ、また、器具本体２への天井５の配線部品１２との電気的接続も容易に行える。
【００１６】
また、放電灯１が環状をしており、この環状をした放電灯１の内側に点灯回路１６、点灯回路１６を制御するための制御部１７を配置することが好ましい。
【００１７】
このような構成とすることで、環状をした放電灯１の上方に点灯回路１６、制御部１７を配置すると上下方向の厚みが厚くなり、しかも、放電灯１から上方に向かう光の一部を遮光して透光性上カバー９を透過する光の光量がすくなくなってしまうが、このようなおそれが防止できる。
【００１８】
また、点灯回路１６の下部に制御部１７を配置した一体構造とし、制御部１７に常夜灯を構成するＬＥＤ１９を付設していることが好ましい。
【００１９】
このような構成とすることで、点灯回路１６、リモコン受光部のような制御部１７を一体物として全体をコンパクトにし、しかも、常夜灯を構成するＬＥＤ１９を制御部１７に設けることで、常夜灯を設けるものであるにもかかわらずＬＥＤ１９により薄くできて、いっそうのコンパクト化、薄型化が図れることになる。
【００２０】
また、放電灯１が環状をしており、器具本体２に環状をした放電灯１を支持するための放電灯支持ばね２０とランプソケット２１とを器具本体２の直径方向に位置変更自在に取付けることが好ましい。
【００２１】
このような構成とすることで、環状をした放電灯１の径の異なるものに対応することができる。
【００２２】
また、器具本体２の中央部の密着部１３の外周形状を平面視円形状とし、器具本体２の密着部１３の周囲の非密着部７を外周側が下となるよう段状に形成し、段状をした非密着部７の内周側である上段部７ａの外周形状を平面視略小判形状とし、段状をした非密着部７の外周側である下段部７ｂの外周形状を平面視円形状とし、外周形状が平面視略小判形状をした非密着部７の上段部７ａに点灯回路１６、制御部１７を取付け、非密着部７の下段部７ｂに採光用開口部８を設け、該採光用開口部８を透光性上カバー９で覆ってあることが好ましい。
【００２３】
このような構成とすることで、最小限のスペースに点灯回路１６、制御部１７を合理的に配置しながら非密着部７と天井５との間の隙間６のうち外観から見える部分の隙間６をできるだけ広くとり、この隙間６が前述のように光ることによって宙に浮いているような外観にできる。
【００２４】
また、透光性上カバー９にプリズム加工が施されていることが好ましい。
【００２５】
このような構成とすることで、透光性上カバー９を上方に透過する光を外側に向けて配向することができて間接照明効果を上げることができる。
【００２６】
また、平面視において器具本体２の中央部の密着部が器具本体２の面積の５０％以下で、照明器具４サイズが平面視でφ３５０〜９００ｍｍ、又は平面視で３５０×３５０ｍｍ〜９００×３５０ｍｍ、又は平面視で（１００〜４００ｍｍ）×（５００〜１８００ｍｍ）で、非密着部７と天井５との隙間６寸法が３０〜７０ｍｍであることが好ましい。
【００２７】
このような構成とすることで、透光性上カバー９を上方に透過する光で効果的な間接照明効果が得られて天井５から天井直付け型照明器具４が浮かんでいるような軽快なイメージを与え、また、透光性上カバー９を通過した上方配光が天井５に局部的な高い輝度の部分をつくることない構造にできる。
【００２８】
【発明の実施の形態】
以下、本発明を添付図面に示す実施形態に基づいて説明する。
【００２９】
本発明の天井直付け型照明器具４は、放電灯１を装備する器具本体２と、器具本体２の下側に着脱自在に取付ける透光性の下カバー３と、器具本体２の上側に着脱自在に取付ける透光性上カバー９とで構成してある。
【００３０】
器具本体２は金属板により形成してあり、図１乃至図６に示すように、器具本体２の中央部が天井５に密着する密着部１３となると共に周囲が天井５と密着することなく天井５との間に隙間６を形成するようにした非密着部７となっている。
【００３１】
器具本体２の中央部には図３、図６に示すように上下に開口する取付け用開口部２３を設けてある。器具本体２内には取付け用開口部２３内に向けて出没自在な係止部材１５が設けてあり、この係止部材１５にはばね材２４により係止部材１５を取付け用開口部２３内に突出させる方向のばね力が付与してある。また、係止部材１５には摘みが設けてあってこの摘みは器具本体２の下面側に露出していて下方から指で摘みを操作することでばね材２４に抗して係止部材１５を取付け用開口部２３内に突出しないように引き込ませることができるようになっている。
【００３２】
図３に示すように、器具本体２の中央部の上記密着部１３は外周形状が平面視円形状となっており、上記取付け用開口部２３を囲むように外周形状が平面視円形をした密着部１３が設けてある。この密着部１３は器具本体２を後述のように天井５に設けた配線部品１２に取付けて接続した状態で上面部が天井５にばね４５のばね力により弾接して密着するようになっている。
【００３３】
器具本体２の上記密着部１３を設けた部分の周囲は図１、図３乃至図６に示すように非密着部７となっており、この非密着部７は外周側が下となるよう段状（２段）に形成してあり、この段状をした非密着部７の内周側である上段部７ａの外周形状が平面視略小判形状となっており、段状をした非密着部７の外周側である下段部７ｂの外周形状が平面視円形状となっている。
【００３４】
非密着部７の下段部７ｂの下面側には環状の放電灯１を支持するための放電灯支持ばね２０とランプソケット２１とが取付けてある。具体的な取付け構造については後述する。放電灯支持ばね２０に環状をした放電灯１を支持させ、放電灯１の接続ピンをランプソケット２１に接続することで器具本体２に環状の放電灯１を取付けるようになっている。
【００３５】
また、非密着部７の下段部７ｂには図２に示すように複数の採光用開口部８が環状に並ぶように形成してある。この環状に並んだ複数の採光用開口部８は器具本体２の下面側に上記のようにして環状の放電灯１を取付けた状態で略上方位置となる部分に形成してある。この非密着部７の下段部７ｂの上面には図１、図３、図４に示すように、ドーナツ状をした透光性上カバー９が着脱自在に載置してあって、この透光性上カバー９により上記環状に並んで形成された複数の採光用開口部８が覆ってある。
【００３６】
透光性上カバー９はねじ具１０により器具本体２に着脱自在に取付けられるのであるが、この場合、透光性上カバー９を器具本体２に取付けるための上記ねじ具１０を利用して図７のように器具本体２の下面側に下カバー受け１１を取付けている。つまり、上記透光性上カバー９を器具本体２に取付けるねじ具１０と、器具本体２に下カバー受け１１を取付けるねじ具１０とが共通のねじ具１０で兼用してある。透光性上カバー９が器具本体２に対して取付け部分から虫が侵入しないように密閉的に取付けてある。ここで、透光性上カバー９の下面部にはプリズム形状をしたプリズム形状部９ａが形成してあり、プリズム形状部９ａの周囲にリブ９ｂが突設してあり、透光性上カバー９を非密着部７の下段部７ｂに載置した状態でプリズム形状部９ａ、リブ９ｂ部分が採光用開口部８に嵌り込んでいる。なお、図８に示すリブ９ｂと採光用開口部８の縁との間の隙間Ｓ１も１ｍｍ以下としてもよい。
【００３７】
器具本体２には環状をした放電灯１の内側に安定器のような点灯回路１６、該点灯回路１６を制御するためのリモコン受光部のような制御部１７を配置して取付けてある。具体的には図１、図２に示すように、外周形状が平面視略小判形状をした上段部７ａの突出部２６部分に点灯回路１６、制御部１７が取付けてある。なお、点灯回路１６、制御部１７は上段部７ａの下面側に位置するだけでなく一部は器具本体２の密着部１３を上方に突設した部分の下面側に位置している。
【００３８】
ここで、点灯回路１６の下部にリモコン受光部のような制御部１７を配置した一体構造の電装品ブロックとなっており、更に制御部１７に常夜灯を構成するＬＥＤ１９を付設してある。このように点灯回路１６、リモコン受光部と常夜灯を付設した制御部１７を上下に積層した一体物として全体をコンパクトにし、しかも、常夜灯を制御部１７に付設したものであるにもかかわらず、常夜灯をＬＥＤ１９とすることで、いっそうのコンパクト化、薄型化が図れるようにしてあり、これにより環状をした放電灯１の内側において外周形状が平面視略小判形状をした上段部７ａの突出部２６部分に点灯回路１６、制御部１７を配置して取付けることができる。
【００３９】
天井５には図６に示すように、下面に引掛けシーリングローゼットのコンセント２５を備え且つ外周部に係止突部１４を備えた配線部品１２を設けてある。
【００４０】
前述の構造の放電灯１を備え且つ上面部に透光性上カバー９を着脱自在に取付けた器具本体２は中央部の密着部１３に設けた取付け用開口部２３を配線部品１２に嵌め込むと共に係止部材１５を係止突部１４に係止して器具本体２を配線部品１２に取付けると共に密着部１３を天井５の下面に密着させ、更に配線部品１２に設けたコンセント２５に器具本体２に備えた引掛けシーリングローゼットのプラグ２２を着脱自在に接続することで天井５に直付けする。
【００４１】
器具本体２の下面側にはグローブと称される透光性を有する下カバー３が取付けられる。下カバー３の上部には内周方向に向けて突出した外側上片部２７が一体に設けてありこの外側上片部２７の突出先端部に囲まれた部分が環状をした開口２８となっており、外側上片部２７の突出先端部の周方向の複数箇所に部分的に取付け用突部２９が突設してある。
【００４２】
前述の器具本体２に取付けた下カバー受け１１には外側方に向けて載置部１１ａが設けてある。
【００４３】
そして、下カバー３を器具本体２の下面側に配置すると共に取付け用突部２９が下カバー受け１１と上下方向に一致しないようにし、この状態で下カバー３を上方に押し上げて下カバー３の外側上片部２７の突出最先端の上横片２７ａを器具本体２の下段部７ｂに押し当て、この状態で下カバー３を平面視で回動して取付け用突部２９をカバー受け１１の載置部１１ａに載置することで下カバー３を器具本体２の下面側に取付ける。この場合、上横片２７ａと器具本体２の下段部７ｂとの間の隙間Ｓ３が１ｍｍ以下となるように設定してあって、下カバー３が取付け部分から虫が侵入しないように器具本体２に対して密閉的に取付けてある。
【００４４】
次に、非密着部７の下段部７ｂの下面側に放電灯支持ばね２０とランプソケット２１とを取付ける例につき説明する。放電灯支持ばね２０とランプソケット２１とはいずれも器具本体２の直径方向に位置変更自在に取付けてある。
【００４５】
器具本体２の非密着部７の下段部７ｂには図１０、図１１に示すようにソケットカバー３０が取付けてあり、このソケットカバー３０は図１２に示すようなもので下面板部３１に長孔３２が形成してあり、この長孔３２は器具本体２の直径方向に長くなっている（ソケットカバー３０と器具本体２の中心とを結ぶ仮想線に沿って長くなっている）。下面板部３１の長孔３２の側部には器具本体２の直径方向に複数箇所（図１０乃至図１２においては２箇所の例が示してある）の係止孔３３が設けてある。ランプソケット２１は図１３に示すようなもので、ソケット本体２１ａの下面の片側から嵌め込み突部２１ｂを突設し、嵌め込み突部２１ｂの下面両側に対向するように一対の保持ばね２１ｃを突設すると共に嵌め込み突部２１ｂの下面中央からソケット部２１ｄを突設してある。嵌め込み突部２１ｂには図１４に示すような枠形状をしたソケット可動板３４が被嵌してあり、このソケット可動板３４の一辺部には先端が自由端となった山形形状をした弾性を有する係止爪３４ａが設けてある。
【００４６】
ランプソケット２１はソケット本体２１ａをソケットカバー３０内に嵌め込むと共に嵌め込み突部２１ｂをソケットカバー３０の下面板部３１の長孔３２に嵌挿してソケット部２１ｄを下面板部３１より下方に突出させることでソケットカバー３０に取付けてある。そして、ランプソケット２１は嵌め込み突部２１ｂを長孔３２に沿って移動することで器具本体２の直径方向に移動自在となっている。ここで、嵌め込み突部２１ｂに被嵌したソケット可動板３４はソケット本体２１ａとソケットカバー３０の下面板部３１の内面（上面）との間に挟まれており、係止爪３４ａを器具本体２の直径方向に複数箇所設けた係止孔３３のうち任意の係止孔３３に挿入係止してあって、ソケットカバー３０に対してランプソケット２１が移動できないように保持している。係止爪３４ａの係止孔３３への係止を解除してソケットカバー３０に対してランプソケット２１を器具本体２の直径方向に移動させ、図１０、図１１に示すように別の係止孔３３に係止爪３４ａを係止することで、直径の異なる複数種類の環状の放電灯１に対応する位置にランプソケット２１を移動して保持させることができる。図１０は直径の大きい環状の放電灯１の場合を示し、図１１は直径の小さい環状の放電灯１の場合を示す。
【００４７】
このようなランプソケット２１にはソケット部２１ｄに放電灯１の接続ピンを接続すると共に上記一対の保持ばね２１ｃにより放電灯１を保持するものである。
【００４８】
また、器具本体２の非密着部７の下段部７ｂには図１５に示すように下方に凹曲した凹部３５が設けてあり、この凹部３５は器具本体２の直径方向に細長い凹みとなっている。凹部３５の底部には器具本体２の直径方向に長い長孔３６が設けてある。また、凹部３５の底部には器具本体２の直径方向に複数の係合孔３７が設けてある。細長い凹みとなった凹部３５内には図１７に示すような可動ブロック３８が器具本体２の直径方向に移動自在に嵌め込んであり、凹部３５の上開口を器具本体２に取付けた蓋３９により遮蔽してある。長孔３６内に放電灯支持ばね２０の上端部を位置させて可動ブロック３８にねじ４０により固着してある。可動ブロック３８には両側に弾性を有する腕部３８ａが設けてあり、該腕３８ａの先端部に係合部３８ｂが設けてあり、該係合部３８ｂを器具本体２の直径方向に複数設けた係合孔３７のうち任意の位置の係合孔３７に係合自在となっている。ここで、少し力を入れて放電灯支持ばね２０を長孔３６に沿って移動すると、係合部３８ｂが係合孔３７から外れるので、この状態で更に移動して他の係合孔３７に係合部３８ｂを係合することで、直径の異なる複数種類の環状の放電灯１に対応する位置に放電灯支持ばね２０を移動して保持させることができる。図１５は直径の大きい環状の放電灯１を放電灯支持ばね２０で支持している場合を示し、図１６は直径の小さい環状の放電灯１を放電灯支持ばね２０で支持している場合を示す。放電灯支持ばね２０には環状の放電灯１が図１５（ａ）図１６のように支持される。
【００４９】
上記ランプソケット２１、複数の凹部３５はそれぞれ図２に示すように非密着部７の下段部７ｂに環状に並ぶように設けた採光用開口部８と採光用開口部８との間に設けてあり、ランプソケット２１や電灯支持ばね２０の取付け部分に邪魔されることなく放電灯１からの光が採光用開口部８を通過できるように構成してある。
【００５０】
上記のような天井直付け型照明器具４は放電灯１を点灯することで、下カバー３を透過して下方を直接照明するものであり、同時に放電灯１から上方に出た光は採光用開口部８から透光性上カバー９を透過して器具本体２の非密着部７と天井５との間の隙間６を明るく照らすと共に隙間６の周囲の外方の天井５下面付近を照らして間接照明をすものである。
【００５１】
下カバー３を取付けた天井直付け型照明器具４の器具本体２は下から見上げた場合、図４の線Ａより下側（イ側）が見えない部分、上側（ロ側）が見える部分となるのであるが、非密着部７と天井５との間に隙間６を設けているので、この部分を下から見ると隙間６だけが見えてほとんど器具本体２が見えないものである。そして、この器具本体２が下から見えないような構成としたものにおいて、上記のように器具本体２の非密着部７と天井５との間の隙間６及びその外周の天井５下面付近が明るく光るのであるが、非密着部７と天井５との間の隙間６があるため、この隙間６が光って該光る部分が宙に浮かんでいるように見えることになる。つまり、本発明においては天井直付け型照明器具４の周囲の天井５付近を単に間接照明するだけでなく、天井直付け型照明器具４と天井５との間の隙間６が光ってこの部分が宙に浮いて見えるような照明効果を現出することができるものである。
【００５２】
ここで、非密着部７の上段部７ａは外周形状が平面視略小判形状をし、この上段部７ａに点灯回路１６、制御部１７を取付けてあるので、略小判形状の突出部分に点灯回路１６、制御部１７を取付けることで、できるだけ器具本体２が隙間６内における下から見えないようにしており、これにより光る隙間６をできるだけ広くとることができ、この広くとった隙間６が前述のように光ることによって宙に浮いているような外観をより効果的に現出できる。
【００５３】
また、透光性上カバー９にプリズム形状をしたプリズム形状部９ａが形成してあることで、透光性上カバー９を上方に透過する光を外側に向けて配向することができて間接照明効果を上げることができる。
【００５４】
ところで、本発明においては、前述の非密着部７と天井５との間の隙間６に向けて光を透過させるための採光用開口部８を覆う透光性上カバー９が非密着部７に対して着脱自在となっているので、透光性上カバー９を交換することで間接光色や間接光の配色を自由に選択することができるものである。透光性上カバー９を交換するには下カバー３を平面視で回動して取付け用突部２９をカバー受け１１から外して取り外し、次に、係止部材１５の摘みを指先で摘んで外側方に移動することで係止部材１５を配線部品１２の係止突部１４から外し、配線部品１２に設けたコンセントから器具本体２に備えた引掛けシーリングローゼットのプラグ２２を外し、このようにして器具本体２を取り外した状態で、ねじ具１０を外してドーナツ状をした透光性上カバー９を取り外し、色やプリズム形状部９ａの形状の異なるものあるいはプリズム形状部９ａを備えないもの等、他の種類の透光性上カバー９と交換して再びねじ具１０で取付け、器具本体２を配線部品１２に取付け、器具本体２に下カバー３を取付けることで、放電灯１からの上方に向かって透光性上カバー９を透過する光の色や配光を変えることができるものである。
【００５５】
これにより、天井直付け型照明器具４取付け後に、居住者自身により簡単に間接光色や配光を変えて室内における照明の雰囲気を変えることができる。
【００５６】
図１８には下カバー３の周囲に透光性枠４１を配設した例であり、このように下カバー３の周囲に透光性枠４１を配設することで、上方への光が天井５面に反射して透光性枠４１を上部から照らすことで従来よりも軽快なイメージの照明ができることになる。
【００５７】
なお、上記実施形態では天井直付け型照明器具４として平面視で円形のものの例を示したが、平面視正方形又は長方形であってもよい。ここで、平面視円形の天井直付け型照明器具４は平面視でφ３５０〜９００ｍｍのものであり、又は平面視正方形のものは３５０×３５０ｍｍ（つまり３５０ｍｍ角）〜９００×９００ｍｍ（つまり９００ｍｍ角）、又は平面視長方形のものは（１００〜４００ｍｍ）×（５００〜１８００ｍｍ）のものである。
【００５８】
上記のように、天井直付け型照明器具４のサイズが平面視でφ３５０〜９００ｍｍ、又は平面視で３５０×３５０ｍｍ〜９００×９００ｍｍ角、又は平面視で（１００〜４００ｍｍ）×（５００〜１８００ｍｍ）のものの場合、下カバー３を取付けた天井直付け型照明器具４を下から見上げた場合に器具本体２の大部分が見えず、且つ、器具本体２の非密着部７と天井５との間の隙間６が光って該光る部分が宙に浮いているように見えるようにするには、平面視において器具本体２の中央部の密着部１３が器具本体２の面積の５０％以下で、非密着部７と天井５との隙間６の寸法が３０〜７０ｍｍにするとよい。これにより透光性上カバー９を上方に透過する光で効果的な間接照明効果が得られて天井５から天井直付け型照明器具４が浮かんでいるような軽快なイメージを与え、また、透光性上カバー９を通過した上方配光が天井５に局部的な高い輝度の部分をつくることない構造にできるものである。
【００５９】
【発明の効果】
上記のように本発明の請求項１記載の発明にあっては、放電灯を備えた器具本体の下方に透光性の下カバーを取付けた天井直付け型照明器具であって、器具本体の中央部が天井に密着する密着部となると共に周囲が天井と密着することなく天井との間に隙間を形成するようにした非密着部となり、上記非密着部の放電灯の上方位置に採光用開口部を設け、非密着部上に採光用開口部を覆う透光性上カバーを着脱自在に配設してあるので、放電灯の光が透光性の下カバーを透過して下方を直接照明するのに加え、天井直付け型照明器具において器具本体の非密着部と天井との間の隙間に放電灯からの光が透光性上カバーを透過して隙間が光ると共に天井直付け型照明器具の周囲の天井下面付近を照らして下から見ると上記隙間が光って天井直付け型照明器具が浮いているように見える間接照明がなされるものであり、しかも、上記透光性上カバーが着脱自在であるため、透光性上カバーを交換することで間接光色や間接光の配光を簡単に変更して照明のイメージを簡単に変更することができるものである。
【００６０】
また、請求項２記載の発明にあっては、上記請求項１記載の発明の効果に加えて、透光性上カバーを器具本体にねじ具により取付け、器具本体に下カバーを支持するための下カバー受けをねじ具により取付け、上記透光性カバーを器具本体に取付けるねじ具と、器具本体に下カバー受けを取付けるねじ具とが共通のねじ具で兼用しているので、器具本体に透光性上カバーを着脱自在に取付けるためのねじ具を器具本体に下カバー受けを取付けるためのねじ具と兼用できて、部材点数を少なくできて、コストを低減できるものである。
【００６１】
また、請求項３記載の発明にあっては、上記請求項１又は請求項２記載の発明の効果に加えて、器具本体への下カバー、透光性上カバーの取付け部分が外部との隙間が１ｍｍ以下の密閉構造であるので、内部に虫が侵入しない防虫構造にできるものである。
【００６２】
また、請求項４記載の発明にあっては、上記請求項１乃至請求項３のいずれかに記載の発明の効果に加えて、天井に下面に引掛けシーリングローゼットのコンセントを備え且つ外周部に係止突部を備えた配線部品を設け、器具本体の中央部の密着部に上下に開口する取付け用開口部を設けると共に該取付け用開口部の内面に取付け用開口部内に突出する方向のばね力が付与された出没自在な係止部材を設け、取付け用開口部を配線部品に嵌め込むと共に係止部材を係止突部に係止して器具本体を配線部品に取付け、配線部品に設けたコンセントに器具本体に備えた引掛けシーリングローゼットのプラグを着脱自在に接続してあるので、器具本体をねじ具などを用いることなく、係止により簡単に取付けることができ、また、器具本体への天井の配線部品との電気的接続も容易に行え、これにより間接光色や間接光の配光を変更するための上カバーの交換が容易に行えるものである。
【００６３】
また、請求項５記載の発明にあっては、上記請求項１乃至請求項４のいずれかに記載の発明の効果に加えて、放電灯が環状をしており、この環状の放電灯の内側に点灯回路、点灯回路を制御するための制御部を配置してあるので、環状をした放電灯の上方に点灯回路、制御部を配置すると上下方向の厚みが厚くなり、しかも、放電灯から上方に向かう光の一部を遮光して透光性上カバーを透過する光の光量がすくなくなってしまうが、このようなおそれが防止できるものである。
【００６４】
また、請求項６記載の発明にあっては、上記請求項５記載の発明の効果に加えて、点灯回路の下部に制御部を配置した一体構造とし、制御部に常夜灯を構成するＬＥＤを付設しているので、点灯回路、制御部を一体物として全体をコンパクトにし、しかも、常夜灯を制御部に付設するものであるにもかかわらず、常夜灯をＬＥＤとすることで、いっそうのコンパクト化、薄型化が図れるものである。
【００６５】
また、請求項７記載の発明にあっては、上記請求項１乃至請求項６のいずれかに記載の発明の効果に加えて、放電灯が環状をしており、器具本体に環状の放電灯を支持するための放電灯支持ばねとランプソケットとを器具本体の直径方向に位置変更自在に取付けているので、環状をした放電灯の径の異なるものに対応することができるものである。
【００６６】
また、請求項８記載の発明にあっては、上記請求項１乃至請求項７のいずれかに記載の発明の効果に加えて、器具本体の中央部の密着部の外周形状を平面視円形状とし、器具本体の密着部の周囲の非密着部を外周側が下となるよう段状に形成し、段状をした非密着部の内周側である上段部の外周形状を平面視略小判形状とし、段状をした非密着部の外周側である下段部の外周形状を平面視円形状とし、外周形状が平面視略小判形状をした非密着部の上段部に点灯回路、制御部を取付け、非密着部の下段部に採光用開口部を設け、該採光用開口部を透光性上カバーで覆ってあるので、最小限のスペースに点灯回路、制御部を合理的に配置しながら非密着部と天井との間の隙間のうち外観から見える部分の隙間をできるだけ広くとり、この隙間が前述のように光ることによって宙に浮いているような外観を効果的に現出できる。
【００６７】
また、請求項９記載の発明にあっては、上記請求項１乃至請求項８のいずれかに記載の発明の効果に加えて、透光性上カバーにプリズム加工が施されているので、透光性上カバーを上方に透過する光を外側に向けて配向することができてより間接照明効果を上げることができる。
【００６８】
また、請求項１０記載の発明にあっては、上記請求項１乃至請求項９のいずれかに記載の発明の効果に加えて、平面視において器具本体の中央部の密着部が器具本体の面積の５０％以下で、照明器具サイズが平面視でφ３５０〜９００ｍｍ、又は平面視で３５０ｍｍ角〜９００ｍｍ角、又は平面視で１００〜４００ｍｍ×５００〜１８００ｍｍで、非密着部と天井との隙間寸法が３０〜７０ｍｍであるので、透光性上カバーを上方に透過する光で効果的な間接照明効果が得られて天井から天井直付け型照明器具が浮かんでいるような軽快なイメージを与え、また、透光性上カバーを通過した上方配光が天井に局部的な高い輝度の部分をつくることない構造にできる。
【図面の簡単な説明】
【図１】本発明の天井直付け型照明器具の取付け状態を示す断面図である。
【図２】同上の下カバーを外した状態の下面図である。
【図３】同上の天井直付け型照明器具の平面図である。
【図４】同上の一部破断した側面図である。
【図５】同上の側面図である。
【図６】同上の天井直付け型照明器具の取付け順序を示す説明図である。
【図７】同上の透光性上パネルの取付け部分の断面図である。
【図８】同上の要部拡大断面図である。
【図９】同上の下カバーの取付け部分の断面図である。
【図１０】同上のランプソケットの取付けを示し、（ａ）は下面図であり、（ｂ）は側面図であり、（ｃ）は正面図である。
【図１１】同上のランプソケットの取付け位置を変更した状態を示し、（ａ）は下面図であり、（ｂ）は側面図である。
【図１２】同上に用いるソケットカバーを示し、（ａ）は下面図であり、（ｂ）は上下逆にした状態の斜視図である。
【図１３】同上に用いるランプソケットを示し、（ａ）は下面図であり、（ｂ）は正面図であり、（ｃ）は側面図である。
【図１４】同上に用いるソケット可動板を示し、（ａ）は下面図であり、（ｂ）は側面図であり、（ｃ）は上下逆にした状態の斜視図である。
【図１５】同上の放電灯支持ばねの取付けを示し、（ａ）は側面断面図であり、（ｂ）は正面断面図であり、（ｃ）は下面図である。
【図１６】同上の放電灯支持ばねの取付け位置を変更した例を示す側面断面図である。
【図１７】同上に用いる可動ブロックを示し、（ａ）は上下逆にした状態の斜視図であり、（ｂ）は下面図であり、（ｃ）は側面図であり、（ｄ）は正面図である。
【図１８】本発明の他の実施形態の側面図である。
【図１９】従来例を示す一部破断した側面図である。
【図２０】同上の取付け順序を示す説明図である。
【符号の説明】
１  放電灯
２  器具本体
３  下カバー
４  天井直付け型照明器具
５  天井
６  隙間
７  非密着部
７ａ  上段部
７ｂ  下段部
８  採光用開口部
９  透光性上カバー
１０  ねじ具
１１  下カバー受け
１２  配線部品
１３  密着部
１４  係止突部
１５  係止部材
１６  点灯回路
１７  制御部
１９  ＬＥＤ
２０  放電灯支持ばね
２１  ランプソケット
２２  プラグ
２３  取付け用開口部
【図１】
2004265708.tif 000003
【図２】
2004265708.tif 000004
【図３】
2004265708.tif 000005
【図４】
2004265708.tif 000006
【図５】
2004265708.tif 000007
【図６】
2004265708.tif 000008
【図７】
2004265708.tif 000009
【図８】
2004265708.tif 000010
【図９】
2004265708.tif 000011
【図１０】
2004265708.tif 000012
【図１１】
2004265708.tif 000013
【図１２】
2004265708.tif 000014
【図１３】
2004265708.tif 000015
【図１４】
2004265708.tif 000016
【図１５】
2004265708.tif 000017
【図１６】
2004265708.tif 000018
【図１７】
2004265708.tif 000019
【図１８】
2004265708.tif 000020
【図１９】
2004265708.tif 000021
【図２０】
2004265708.tif 000022